(57)【特許請求の範囲】
【請求項１】
充電式の電池と、
撮像手段と、
前記撮像手段からの撮像画像データを圧縮エンコードする第１のエンコード手段と、
前記撮像手段からの撮像画像データを圧縮エンコードするものであって、前記第１のエンコード手段と同品質の画像を得る場合に、圧縮後のデータ量は少ないが、消費電流が前記第１のエンコード手段を使用する場合よりも多い第２のエンコード手段と、
前記第１のエンコード手段または前記第２のエンコード手段で圧縮エンコードされた撮像画像データを、記録媒体に記録する記録手段と、
少なくとも、前記電池の残量が所定の値よりも少ないときには、前記撮像手段からの撮像画像データを、前記第１のエンコード手段で圧縮エンコードして、前記記録手段により前記記録媒体に記録するように制御する記録制御手段と、
前記電池が充電中となったときに、前記第１のエンコード手段で圧縮エンコードされて記録された撮像画像データを前記記録媒体から読み出してデコードし、前記デコードした撮像画像データを前記第２のエンコード手段で再エンコードし、前記記録媒体に再記録すると共に、前記第１のエンコード手段で圧縮エンコードされて記録されていた撮像画像データを前記記録媒体から消去する再記録手段と、
を備えることを特徴とする携帯機器。
【請求項２】
請求項１に記載の携帯機器において、
前記撮像手段からの撮像画像データを、他の撮像モードの画質よりも高画質で前記記録媒体に記録する高画質モードを備え、
前記記録手段は、前記高画質モードにおいては、
前記電池の残量が所定の第１の値よりも大きいときには、前記第２のエンコード手段において第１の圧縮率で圧縮エンコードした撮像画像データを記録媒体に記録し、
前記電池の残量が前記所定の第１の値よりも少ないときには、前記第１のエンコード手段において第２の圧縮率で圧縮エンコードした撮像画像データを、高画質モードであることを示す付加情報を付加して記録し、
前記再記録手段は、前記付加情報により前記高画質モードを認識し、前記デコードした撮像画像データを前記第２のエンコード手段で前記第１の圧縮率で再エンコードし、前記記録媒体に再記録する
ことを特徴とする携帯機器。
【請求項３】
請求項１または請求項２に記載の携帯機器において、
前記撮像手段からの撮像画像データを、他の撮像モードよりも長時間にわたって前記記録媒体に記録する長時間モードを備え、
前記記録手段は、前記長時間モードにおいては、
前記電池の残量が所定の第１の値よりも大きく、かつ、前記記録媒体の空き容量が所定の第２の値よりも大きいときには、前記第２のエンコード手段において第３の圧縮率で圧縮エンコードした撮像画像データを記録媒体に記録し、
前記電池の残量が前記所定の第１の値よりも少ないとき、または、前記記録媒体の空き容量が前記第２の値よりも少ないときには、前記第１のエンコード手段において第４の圧縮率で圧縮エンコードした撮像画像データを、長時間モードであることを示す付加情報を付加して記録し、
前記再記録手段は、前記付加情報により前記長時間モードを認識し、前記デコードした撮像画像データを前記第２のエンコード手段で前記第３の圧縮率で再エンコードし、前記記録媒体に再記録する
ことを特徴とする携帯機器。
【請求項４】
請求項１〜３のいずれかに記載の携帯機器は、携帯電話端末であることを特徴とする携帯機器。
【請求項５】
請求項１〜４のいずれかに記載の携帯機器において、
少なくとも前記第２のエンコード手段は、ソフトウエアアプリケーションとされてなることを特徴とする携帯機器。
【請求項６】
充電式の電池と、
撮像手段と、
前記撮像手段からの撮像画像データを圧縮エンコードする第１のエンコード手段と、
前記撮像手段からの撮像画像データを圧縮エンコードするものであって、前記第１のエンコード手段と同品質の画像を得る場合に、圧縮後のデータ量は少ないが、消費電流が前記第１のエンコード手段を使用する場合よりも多い第２のエンコード手段と、
前記第１のエンコード手段または前記第２のエンコード手段で圧縮エンコードされた撮像画像データを、記録媒体に記録する記録手段と、
を備える携帯機器における画像データの記録方法であって、
少なくとも、前記電池の残量が所定の値よりも少ないときには、前記撮像手段からの撮像画像データを、前記第１のエンコード手段で圧縮エンコードして、前記記録手段により前記記録媒体に記録するように制御する記録制御工程と、
前記電池が充電中となったか否かを判別する判別工程と、
前記判別工程で前記電池が充電中となったと判別したときに、前記第１のエンコード手段で圧縮エンコードされて前記記録手段で記録された撮像画像データを前記記録媒体から読み出してデコードする工程と、
前記デコードされた撮像画像データを前記第２のエンコード手段で再エンコードして、前記記録媒体に再記録すると共に、前記第１のエンコード手段で圧縮エンコードされて記録されていた撮像画像データを前記記録媒体から消去する再記録工程と、
を備えることを特徴とする撮像画像データの記録方法。
【発明の詳細な説明】
【技術分野】
【０００１】
この発明は、例えば、撮像機能付の携帯電話端末などの携帯機器および当該携帯機器における撮像画像データの記録方法に関する。
【背景技術】
【０００２】
携帯電話端末などの携帯機器として、最近は、静止画のみではなく、動画の撮像機能を備えるものも登場してきている。この種の携帯機器では、有限の記憶容量しか持たない記録媒体に、できるだけ多くの撮像画像情報を記録することができるように、撮像画像データは、所定の圧縮符号化方式で圧縮エンコードして記録するようにする。
【０００３】
従来の携帯機器では、１種類の圧縮エンコード手段を用いると共に、撮像画像の画質を優先するときには、圧縮率を低くして、記録ビットレートを高くして記録し（高画質モード）、長時間の撮像画像を記録しようとする場合には、圧縮率を高くして記録ビットレートを低くして記録（長時間モード）するようにすることが行われている。
【０００４】
撮像記録中に、ユーザの操作により、高画質モードと、長時間モードとを切り替えることができるものも、例えば特許文献１（特開２００５−２６０８３８号公報）に記載されている。
【０００５】
上記の特許文献は、次の通りである。
【特許文献１】特開２００５−２６０８３８号公報
【発明の開示】
【発明が解決しようとする課題】
【０００６】
上述の従来の携帯機器の場合、圧縮エンコード手段は、１種類のものを用いて、その圧縮率を変えることで、高画質モードと、長時間モードとを切り替えているため、記録データ量は、圧縮率のみで定まる。したがって、圧縮エンコード手段として、同じ品質の画像を得ることができるように記録する場合に、圧縮率が高く、圧縮後のデータ量が少ないものを使用することにより、記録媒体の記録容量の使用量を少なくすることができる。
【０００７】
ところが、同じ品質の画像を得ることができるように記録する場合に、圧縮率が高く、圧縮後のデータ量が少ない圧縮エンコード手段は、一般的に、エンコードのための計算量が多いため、消費電流を多く必要とし、充電式電池の電流消費が多くなる。このため、例えば、撮像機能付の携帯電話端末では、撮像機能使用時の電池の消費量が多くなり、電話機能として、待ち受け時間が短くなってしまったり、電話通信をしようとしたときに、利用できなくなってしまうような事態を招いたりことが多くなるという問題がある。
【０００８】
この発明は、以上の点にかんがみ、充電式電池の消費をできるだけ抑えると共に、記録された撮像画像データの、記録媒体における使用記録容量をできるだけ少なくすることができるようにした携帯機器を提供することを目的とする。
【課題を解決するための手段】
【０００９】
上記の課題を解決するために、この発明による携帯機器は、
充電式の電池と、
撮像手段と、
前記撮像手段からの撮像画像データを圧縮エンコードする第１のエンコード手段と、
前記撮像手段からの撮像画像データを圧縮エンコードするものであって、前記第１のエンコード手段と同品質の画像を得る場合に、圧縮後のデータ量は少ないが、消費電流が前記第１のエンコード手段を使用する場合よりも多い第２のエンコード手段と、
前記第１のエンコード手段または前記第２のエンコード手段で圧縮エンコードされた撮像画像データを、記録媒体に記録する記録手段と、
少なくとも、前記電池の残量が所定の値よりも少ないときには、前記撮像手段からの撮像画像データを、前記第１のエンコード手段で圧縮エンコードして、前記記録手段により前記記録媒体に記録するように制御する記録制御手段と、
電池が充電中となったときに、前記第１のエンコード手段で圧縮エンコードされて記録された撮像画像データを前記記録媒体から読み出してデコードし、前記デコードした撮像画像データを前記第２のエンコード手段で再エンコードし、前記記録媒体に再記録すると共に、前記第１のエンコード手段で圧縮エンコードされて記録されていた撮像画像データを前記記録媒体から消去する再記録手段と、
を備えることを特徴とする。
【００１０】
上記の構成を備えるこの発明による携帯機器によれば、記録制御手段により、電池の残量が所定の値よりも少ないときには、撮像手段からの撮像画像データは、第１のエンコード手段で圧縮エンコードされて、記録手段により記録媒体に記録される。したがって、第２のエンコード手段で圧縮エンコードして撮像画像データを記録する場合よりも、電池の電流消費が少なく抑えられる。
【００１１】
そして、電池が充電中となると、電池の残量の心配が無いので、第１のエンコード手段で圧縮エンコードされて記録されていた撮像画像データが、記録媒体から読み出されてデコードされ、当該デコードされた撮像画像データが第２のエンコード手段で再エンコードされ、記録媒体に再記録されると共に、第１のエンコード手段で圧縮エンコードされて記録されていた撮像画像データは記録媒体から消去される。
【００１２】
第２のエンコード手段でエンコードされた後のデータ量は、第１のエンコーダ手段でエンコードされた後のデータ量よりも少ないので、この再記録により、記録媒体の残容量が増加することになる。
【発明の効果】
【００１３】
この発明によれば、充電式電池の消費ができるだけ抑えられると共に、記録された撮像画像データの、記録媒体における使用記録容量を少なくすることができる。
【発明を実施するための最良の形態】
【００１４】
以下、この発明による携帯機器の実施の形態を、携帯機器が携帯電話端末である場合を例にとって、図を参照しながら説明する。
【００１５】
［実施形態の携帯電話端末１のハードウエア構成例］
図１は、この実施形態の携帯電話端末１のハードウエア構成例を示すブロック図である。すなわち、この実施形態の携帯電話端末１においては、制御バス１０１およびデータバス１０２からなるシステムバスに対して、制御部１１と、通信回路１２と、表示部１３と、操作部１４と、メモリ１５と、スピーカ１６と、マイクロホン１７と、撮像制御部１８と、充電制御部１９とが接続されている。
【００１６】
制御部１１は、マイクロコンピュータにより構成されるもので、このマイクロコンピュータには、この実施形態の携帯電話端末１の種々の処理を制御するためのソフトウエアプログラムが格納されており、制御部１１は、そのソフトウエアプログラムにしたがって種々の制御処理を実行する。
【００１７】
この実施形態においては、制御部１１が備えるソフトウエアプログラムの中に、撮像された動画像データについてのデータ圧縮符号化を行うエンコードアプリケーションが２種類、含まれている。この例では、その一つは、ＭＰＥＧ（Ｍｏｖｉｎｇ  Ｐｉｃｔｕｒｅ  Ｅｘｐｅｒｔｓ  Ｇｒｏｕｐ）４規格のデータ圧縮符号化を行うＭＰＥＧ４エンコーダ１１１であり、他の一つは、Ｈ．２６４（ＡＶＣ）規格のデータ圧縮符号化を行うＨ．２６４エンコーダ１１２である。
【００１８】
ＭＰＥＧ４エンコーダ１１１は、再生されたときに、Ｈ．２６４エンコーダ１１２が用いられた場合と、同程度の画質、解像度などの品質を確保することができるように動画像を圧縮符号化エンコードしたときには、Ｈ．２６４エンコーダ１１２の場合よりは、記録データ量は多いが、電池の消費電流が少ない。一方、Ｈ．２６４エンコーダ１１２は、再生されたときに、ＭＰＥＧ４エンコーダ１１１が用いられた場合と、同程度の画質、解像度などの品質を確保することができるように動画像を圧縮符号化エンコードしたときには、記録データ量は、ＭＰＥＧ４エンコーダ１１１の場合の１／２程度とすることができるが、電池の消費電流が多くなってしまう。
【００１９】
通信回路１２は、基地局および携帯電話ネットワークを通じて電話通信やその他の情報通信を行なうための携帯電話通信用の無線通信部であり、アンテナ１２ＡＴを通じて通信データを送受する。
【００２０】
表示部１３は、液晶ディスプレイなどの表示素子を備え、当該表示素子に制御部１１の制御を受けながら、種々の表示画面を表示したり、撮像された動画像をモニター表示したりするようにする機能を備える。
【００２１】
操作部１４は、テンキーやその他のキーを備える。この実施形態の携帯電話端末１では、動画撮像機能を備えるので、当該動画撮像モードへの切り替えキーや、動画撮像記録のスタートおよびストップを制御するためのキーなども備える。制御部１１は、操作部１４を通じていかなるキーが操作されたかを検知し、当該操作されたキーに対応する制御処理動作を実行するように構成されている。
【００２２】
メモリ１５は、この実施形態においては、撮像画像データの記録媒体の例を構成するものである。このメモリ１５は、フラッシュメモリなどの半導体メモリからなる携帯電話端末１に内蔵のメモリであってもよいし、カード型メモリなどの携帯電話端末１に対して挿脱可能なリムーバルなものであってもよい。
【００２３】
この実施形態では、制御部１１は、メモリ１５の空き容量を常に把握して管理している。
【００２４】
なお、メモリ１５には、携帯電話端末１における電話帳データやメールアドレス、ＵＲＬ（Ｕｎｉｆｏｒｍ  Ｒｅｓｏｕｒｃｅ  Ｌｏｃａｔｏｒ）などのデータのほか、当該携帯電話端末１が備える機能に付随する蓄積データが格納されるようにしてあっても良い。
【００２５】
スピーカ１６は、電話通信における受話音声を再生する機能を果たすと共に、記録された音声データを音響再生するためなどにも用いられる。
【００２６】
マイクロホン１７は、電話通信の送話音声を収音するために用いられると共に、動画撮像時に画像データを共に記録する周辺音声を収音するためにも用いられる。
【００２７】
撮像制御部１８には、撮像手段としてのカメラ２０が接続されている。操作部１４において、使用者により、携帯電話端末１において、カメラモード（動画撮像画像記録モード）を選択するキー操作がなされると、制御部１１は、撮像制御部１８を制御して、カメラ２０からの動画撮像画像データをデータバス１０２に取り込むように制御する。取り込まれた動画撮像画像データは、表示画像信号に変換され（この変換のためのアプリケーションプログラムも制御部１１に設けられている）、表示部１３に動画撮像画像が表示され、いわゆる電子ビューファインダの機能が実現される。
【００２８】
そして、使用者により、動画撮像記録スタートのキー操作がなされると、撮像制御部１８を通じて取り込まれたカメラ２０からの動画撮像データが、後で詳述するようにして、制御部１１のエンコーダ１１１または１１２が用いられて圧縮エンコードされた後、メモリ１５に記録され、動画撮像記録が実行される。そして、使用者により、動画撮像記録ストップのキー操作がなされると、この動画撮像記録が停止される。
【００２９】
充電制御部１９は、充電式電池２１が接続されると共に、充電端子２２に接続される。充電端子２２は、商用交流電源コンセントに接続される電源プラグに接続される充電台の端子に接続される。あるいは、充電端子は、商用交流電源コンセントに接続されるコネクタプラグが挿入されるコネクタジャックからなる。
【００３０】
充電端子２２が、商用交流電源コンセントに接続されている充電台の端子に充電端子が接続されると、あるいは、商用交流電源コンセントに接続されているコネクタプラグが充電端子を構成するコネクタジャックに挿入されると、充電制御部１９は、充電端子２２の前記充電台への接続、あるいはコネクタプラグのコネクタジャックへの挿入を検知して、充電式電池２１への充電を開始すると共に、充電開始信号を、データバス１０２を通じて制御部１１に送って充電開始を通知する。
【００３１】
また、充電制御部１９は、充電式電池２１の電池残量を検知して、当該検知した電池残量をデータバス１０２を通じて制御部１１に通知する機能をも備える。
【００３２】
制御部１１は、充電台への接続、あるいはコネクタプラグのコネクタジャックへの挿入を検知すると、後述するように、メモリ１５に記憶されている撮像画像データのうち、ＭＰＥＧ４エンコーダ１１１によりエンコードされて記録されている撮像画像データを、エンコード方式をＨ．２６４エンコーダ１１２に変更して必要な書き換え再記録を行う。
【００３３】
［携帯電話端末１の動画撮像記録の動作］
この実施形態の携帯電話端末１においては、動画撮像記録の撮像記録モードとして、高画質モードと長時間モードとを備え、使用者が、予め、いずれの撮像記録モードとするかを、操作部１４を用いて設定しておくことができるようにされている。
【００３４】
高画質モードは、データ圧縮率は低くして、再生されたときに高画質を維持することができるように記録するモードである。また、長時間モードは、データ圧縮率を高くして記録データ量を少なくして、メモリ１５に長時間分の動画撮像画像データを記録することを可能にするモードである。
【００３５】
この実施形態では、高画質モードおよび長時間モードの両モードにおいて、ＭＰＥＧ４エンコーダ１１１と、Ｈ．２６４エンコード１１２のいずれも用いる。したがって、ＭＰＥＧ４エンコーダ１１１と、Ｈ．２６４エンコード１１２との両者共、高画質モード時の圧縮率と、長時間モード時の圧縮率とを備える。
【００３６】
そして、高画質モードにおいては、いずれのエンコーダを用いても、同じ品質で動画撮像画像データが記録されることを確保するようにされており、ＭＰＥＧ４エンコーダ１１１での高画質モードの圧縮率ＣＭ１と、Ｈ．２６４エンコーダ１１２での高画質モードの圧縮率ＣＭ２とは異なり、ＣＭ１＜ＣＭ２とされ、Ｈ．２６４エンコーダ１１２の場合の方が高圧縮率となる。
【００３７】
また、長時間モードにおいても、いずれのエンコーダを用いても、同じ品質で動画撮像画像データが記録されることを確保するようにされており、ＭＰＥＧ４エンコーダ１１１での長時間モードの圧縮率ＣＭ３と、Ｈ．２６４エンコーダ１１２での長時間モードの圧縮率ＣＭ４とは異なり、ＣＭ３＜ＣＭ４（ＣＭ１＜ＣＭ２＜ＣＭ３＜ＣＭ４）とされ、Ｈ．２６４エンコーダ１１２の場合の方が高圧縮率となる。
【００３８】
そして、高画質モードと長時間モードの、いずれの撮像記録モードにおいても、制御部１１は、充電式電池２１の電池残量が予め定められた閾値よりも大きく、電池残量が充分にあると判別したときには、エンコーダは、Ｈ．２６４エンコーダ１１２を用いて、記録データ量を少なくして、メモリ１５の使用容量を少なくするようにする。ただし、長時間モードにおいては、制御部１１は、メモリの空き容量が、予め定められている閾値空き容量よりも大きいときには、できるだけ電池の消費電流を少なくするため、ＭＰＥＧ４エンコーダ１１１を優先使用するように制御する。
【００３９】
また、制御部１１は、充電式電池２１の電池残量が予め定められた閾値よりも小さくなり、電池残量が少なくなったときには、できるだけ消費電流を少なくするため、ＭＰＥＧ４エンコーダ１１１を使用するように制御する。
【００４０】
この実施形態における動画撮像記録の動作を、図２および図３のフローチャートを参照しながら説明する。この図２および図３のフローチャートの各ステップは、制御部１１が実行するものとして示している。
【００４１】
この図２および図３のフローチャートは、使用者により、カメラモードが選択され、動画撮像記録スタートのキー操作がなされたときに、録画開始からスタートする。
【００４２】
先ず、制御部１１は、設定されている撮像記録モードは何であるかを判別する（ステップＳ１０１）。このステップＳ１０１で、撮像記録モードとして高画質モードが設定されていると判別したときには、制御部１１は、充電式電池２１の電池残量を確認し（ステップＳ１０２）、電池残量が予め定められた閾値よりも大きく、電池残量が充分にあるか否か判別する（ステップＳ１０３）。
【００４３】
このステップＳ１０３で、電池残量が充分にあると判別したときには、制御部１１は、エンコーダとして、Ｈ．２６４エンコーダ１１２を選択し、かつ、その圧縮率を高画質モード用の低い圧縮率ＣＭ２として、動画撮像画像データのメモリ１５への書き込み（記録）を実行する（ステップＳ１０４）。このとき、付加情報として、圧縮符号化エンコード方式がＨ．２６４であること、および高画質モードであることを、書き込んだ動画撮像画像データに対応させてメモリ１５に記録するようにする。なお、動画撮像画像データは、記録開始から記録停止までの間を、１つのファイルとして記録されるものである。
【００４４】
そして、制御部１１は、使用者により、動画撮像記録ストップのキー操作がなされたか否か判別し（ステップＳ１０５）、動画撮像記録ストップのキー操作がなされていないと判別したときには、ステップＳ１０４に戻って、Ｈ．２６４エンコーダ１１２でエンコードされた動画撮像画像データのメモリ１５への高画質モードの記録を続行する。
【００４５】
また、ステップＳ１０５で、動画撮像記録ストップのキー操作がなされたと判別したときには、制御部１１は、動画撮像画像データのメモリ１５への書き込みを停止して、撮像記録モードの終了処理を行い（ステップＳ１０６）、この処理ルーチンを終了する。
【００４６】
また、ステップＳ１０３で、電池残量は充分にはない判別したときには、制御部１１は、エンコーダとして、ＭＰＥＧ４エンコーダ１１２を選択し、かつ、その圧縮率を高画質モード用の低い圧縮率ＣＭ１として、動画撮像画像データのメモリ１５への書き込み（記録）を実行する（ステップＳ１０７）。このとき、付加情報として、圧縮符号化エンコード方式がＭＰＥＧ４であること、および高画質モードであることを、書き込んだ動画撮像画像データに対応させてメモリ１５に記録するようにする。
【００４７】
そして、制御部１１は、使用者により、動画撮像記録ストップのキー操作がなされたか否か判別し（ステップＳ１０８）、動画撮像記録ストップのキー操作がなされていないと判別したときには、ステップＳ１０７に戻って、ＭＰＥＧ４エンコーダ１１１でエンコードされた動画撮像画像データのメモリ１５への高画質モードの記録を続行する。
【００４８】
そして、ステップＳ１０８で、動画撮像記録ストップのキー操作がなされたと判別したときには、制御部１１は、動画撮像画像データのメモリ１５への書き込みを停止して、撮像記録モードの終了処理を行い（ステップＳ１０６）、この処理ルーチンを終了する。
【００４９】
また、ステップＳ１０１で、撮像記録モードとして長時間モードが設定されていると判別したときには、制御部１１は、充電式電池２１の電池残量を確認し（図３のステップＳ１１１）、電池残量が予め定められた閾値よりも大きく、電池残量が充分にあるか否か判別する（ステップＳ１１２）。
【００５０】
このステップＳ１１２で、電池残量が充分にあると判別したときには、制御部１１は、メモリ１５の空き容量（メモリ残量）を確認し（ステップＳ１１３）、確認された空き容量が、予め定められている閾値空き容量よりも少ないか否かを判別する（ステップＳ１１４）。
【００５１】
そして、ステップＳ１１４で、メモリ１５の空き容量が、予め定められている閾値空き容量よりも少ないと判別したときには、制御部１１は、エンコーダとして、Ｈ．２６４エンコーダ１１２を選択し、かつ、その圧縮率を長時間モード用の圧縮率ＣＭ４として、動画撮像画像データのメモリ１５への書き込み（記録）を実行する（ステップＳ１１５）。このとき、付加情報として、圧縮符号化エンコード方式がＨ．２６４であること、および長時間モードであることを、書き込んだ動画撮像画像データに対応させてメモリ１５に記録するようにする。
【００５２】
そして、制御部１１は、使用者により、動画撮像記録ストップのキー操作がなされたか否か判別し（ステップＳ１１６）、動画撮像記録ストップのキー操作がなされていないと判別したときには、ステップＳ１１５に戻って、Ｈ．２６４エンコーダ１１２でエンコードされた動画撮像画像データのメモリ１５への長時間モードの記録を続行する。
【００５３】
そして、ステップＳ１１６で、動画撮像記録ストップのキー操作がなされたと判別したときには、制御部１１は、動画撮像画像データのメモリ１５への書き込みを停止して、撮像記録モードの終了処理を行い（ステップＳ１１７）、この処理ルーチンを終了する。
【００５４】
また、ステップＳ１１２で、電池残量は充分にはないと判別したとき、また、ステップＳ１１４で、メモリ１５のメモリ残量は、閾値空き容量よりも大きいと判別したときには、制御部１１は、エンコーダとして、ＭＰＥＧ４エンコーダ１１１を選択し、かつ、その圧縮率を長時間モード用の高い圧縮率ＣＭ３として、動画撮像画像データのメモリ１５への書き込み（記録）を実行する（ステップＳ１１８）。このとき、付加情報として、圧縮符号化エンコード方式がＭＰＥＧ４であること、および長時間モードであることを、書き込んだ動画撮像画像データに対応させてメモリ１５に記録するようにする。
【００５５】
そして、制御部１１は、使用者により、動画撮像記録ストップのキー操作がなされたか否か判別し（ステップＳ１１９）、動画撮像記録ストップのキー操作がなされていないと判別したときには、ステップＳ１１８に戻って、ＭＰＥＧ４エンコーダ１１１でエンコードされた動画撮像画像データのメモリ１５への長時間モードの記録を続行する。
【００５６】
そして、ステップＳ１１９で、動画撮像記録ストップのキー操作がなされたと判別したときには、制御部１１は、動画撮像画像データのメモリ１５への書き込みを停止して、撮像記録モードの終了処理を行い（ステップＳ１１７）、この処理ルーチンを終了する。
【００５７】
以上のようにして、この実施形態では、２種類の画像圧縮符号化エンコーダを用いて、高画質モードと、長時間モードとの動画撮像記録を、充電式電池２１の電池残量とメモリ１５の空き容量を考慮しながら、充電式電池２１の電池残量とメモリ１５の空き容量とを効率良く利用した状態で実現できる。
【００５８】
［動画撮像画像データのエンコーダ変換再記録］
さらに、この実施形態では、電池の消費電流を考慮しなくて良い充電中に、ＭＰＥＧ４エンコーダ１１１でエンコードされてメモリ１５に記録されている動画撮像画像データを、Ｈ．２６４エンコーダ１１２でエンコードしたものに変換して再記録することで、よりメモリ１５の空き容量を確保することができるようにしている。
【００５９】
この実施形態における、この充電中の再記録処理を、図４のフローチャートを参照しながら説明する。この図４のフローチャートに示す各ステップの処理も、制御部１１が実行するものである。
【００６０】
先ず、制御部１１は、充電制御部１９からの充電開始信号を監視して、充電式電池２１の充電が開始されたか否か判別し（ステップＳ１２１）、充電が開始されていないと判別したときには、制御部１１は、その他の通常処理を行う（ステップＳ１２２）。
【００６１】
そして、制御部１１は、ステップＳ１２１で、充電式電池２１の充電が開始されたと判別したときには、メモリ１５に動画撮像画像データファイルがあるか否か判別し（ステップＳ１２３）、動画撮像画像ファイルが存在しないと判別したときには、この処理ルーチンを終了する。
【００６２】
そして、制御部１１は、ステップＳ１２３で、動画撮像画像ファイルが存在すると判別したときには、動画撮像画像ファイルに付加記録されている付加情報を解析し（ステップＳ１２４）、圧縮符号化エンコード方式がＭＰＥＧ４である動画撮像画像ファイルが存在するか否かを判別して、変換再記録をする必要があるか否かを判別し（ステップＳ１２５）、圧縮符号化エンコード方式がＭＰＥＧ４である動画撮像画像ファイルが存在しないと判別したときには、この処理ルーチンを終了する。
【００６３】
ステップＳ１２５で、圧縮符号化エンコード方式がＭＰＥＧ４である動画撮像画像ファイルが存在すると判別したときには、制御部１１は、その付加情報から、撮像記録モードが高画質モードか、長時間モードかを識別する（ステップＳ１２６）。
【００６４】
そして、制御部１１は、ＭＰＥＧ４でエンコードされている動画撮像画像ファイルをデコードし（ステップＳ１２７）、デコードした動画撮像画像データを、Ｈ．２６４エンコーダ１１２で再エンコードする（ステップＳ１２８）。この再エンコードの際には、ステップＳ１２６で識別された高画質モード、長時間モードの撮像記録モードに応じた圧縮率が、Ｈ．２６４エンコーダ１１２で用いられる。そして、制御部１１は、当該再エンコードした動画撮像画像データのファイルを、元の撮像記録モードを識別する付加情報と共にメモリ１５に再記録する（ステップＳ１２９）。
【００６５】
そして、制御部１１は、変換再記録したＭＰＥＧ４の動画撮像画像ファイルを、メモリ１５から削除する（ステップＳ１３０）。
【００６６】
次に、制御部１１は、以上のチェックをしていない動画撮像画像ファイルがあるか否か判別し（ステップＳ１３１）、チェックしていない動画撮像画像ファイルがあると判別したときには、ステップＳ１２３に戻り、当該動画撮像画像ファイルの付加情報を解析し、上述したこのステップＳ１２３以降の処理を繰り返す。そして、ステップＳ１３１で、チェックしていない動画撮像画像ファイルがないと判別したときには、制御部１１は、この処理ルーチンを終了する。
【００６７】
以上のようにして、この実施形態によれば、充電式電池の使用中には、消費電流を少なくできるように、ＭＰＥＧ４エンコーダ１１１でエンコードした動画撮像画像データを、充電中に、Ｈ．２６４エンコーダ１１２で再エンコードした動画撮像画像データに記録し直しすることができるので、消費電流を考慮しながら、記録データ量を削減できるエンコーダを利用することができる。しかも、この実施形態では、変換再記録をしても、動画撮像画像の品質は維持することができる。
【００６８】
［他の実施形態および変形例］
以上の実施形態は、この発明の携帯機器を携帯電話端末に適用した場合であるが、この発明の携帯機器は、カメラ機能を備え、充電式電池を電源として用いる携帯機器であれば、どのようなものであっても適用可能である。
【００６９】
また、以上は、撮像画像データは、動画画像データの場合として説明したが、この発明は、静止画画像データの場合にも適用可能である。
【００７０】
また、エンコーダは、ＭＰＥＧ４とＨ．２６４とに限られるものではなく、圧縮後の記録データ量と、消費電流との関係が、上述したＭＰＥＧ４とＨ．２６４との関係と同様のものであれば、どのようなエンコード方式であってもよい。
【００７１】
また、上述の実施形態においては、エンコーダは、ソフトウエアプログラムアプリケーションとして、携帯機器に搭載された場合であるが、いずれか一方あるいは両方がハードウエアとして搭載される場合であっても良い。
【図面の簡単な説明】
【００７２】
【図１】この発明による携帯機器の実施形態の構成例を示すブロック図である。
【図２】この発明による携帯機器の実施形態における撮像記録動作例を説明するためのフローチャートの一部である。
【図３】この発明による携帯機器の実施形態における撮像記録動作例を説明するためのフローチャートの一部である。
【図４】この発明による携帯機器の実施形態における要部の動作例を説明するためのフローチャートである。
【符号の説明】
【００７３】
１１…制御部、１５…メモリ（記録媒体）、１９…充電制御部、２０…カメラ、２１…充電式電池、２２…充電端子、１１１…ＭＰＥＧ４エンコーダ、１１２…Ｈ．２６４エンコーダ
【図１】
0004975558.tif 000002
【図２】
0004975558.tif 000003
【図３】
0004975558.tif 000004
【図４】
0004975558.tif 000005